【手続補正書】
【提出日】平成17年11月2日(2005.11.2)
【手続補正１】
【補正対象書類名】明細書
【補正対象項目名】特許請求の範囲
【補正方法】変更
【補正の内容】
【特許請求の範囲】
【請求項１】  ホストコンピュータと、複数のディスクドライブによって構成される論理ボリューム及び制御装置を有する第一のストレージ装置と、に接続され、仮想ボリュームを有する中継装置の制御方法であって、
前記論理ボリュームに関する第一の情報を登録し、
前記ホストコンピュータから前記仮想ボリュームに対して送られたデータ入出力要求を受信し、
前記データ入出力要求に含まれる第二の情報を、前記第一の情報に変換し、前記変換されたデータ入出力要求を、前記第一のストレージ装置に対して送信すること
を特徴とする中継装置の制御方法。
【請求項２】  ホストコンピュータと、複数のディスクドライブによって構成される第一の論理ボリューム及び制御装置を有する第一のディスクアレイ装置と、に接続され、仮想ボリュームを有する中継装置の制御方法であって、
前記仮想ボリュームが作成される場合に、前記第一の論理ボリュームに関する第一の情報を要求する情報要求を、前記第一のディスクアレイ装置に対して送信し、
前記第一のディスクアレイ装置から前記第一の情報を受信し、
前記第一の情報と前記仮想ボリュームに関する第二の情報との関係を登録し、
前記ホストコンピュータから前記仮想ボリュームに対して送られたデータ入出力要求を受信し、
前記登録された関係に基づき、前記データ入出力要求に含まれる前記第二の情報を、前記第一の情報に変換し、
前記第一のディスクアレイ装置が前記第一の論理ボリュームに対応する前記複数のディスクドライブに対してデータを入出力するために、前記変換されたデータ入出力要求を、前記第一のディスクアレイ装置に対して送信すること
を特徴とする中継装置の制御方法。
【請求項３】  請求項２に記載の前記中継装置の制御方法であって、
前記中継装置が、さらに、
前記仮想ボリュームに関する情報を要求するための、第二の情報に対する情報要求を前記ホストコンピュータから受信し、
前記登録された関係に基づき、前記第一の情報に含まれるとともに前記第二の情報に関する情報に対応する情報を前記ホストコンピュータに応答すること
を特徴とする中継装置の制御方法。
【請求項４】  請求項２に記載の前記中継装置の制御方法であって、
前記中継装置には、前記第一の情報を当該中継装置に登録するかどうかを決定するのに利用される条件が設定されていること
を特徴とする中継装置の制御方法。
【請求項５】  請求項２に記載の前記中継装置の制御方法であって、
前記中継装置が、さらに、
第二のディスクアレイ装置に接続され、
前記第一のディスクアレイ装置から前記第二のディスクアレイ装置へのデータの送信を要求するためのデータ送信要求を受信し、
前記第一のディスクアレイ装置から前記第二のディスクアレイ装置への前記データの送信を前記第一のディスクアレイ装置に要求すること
を特徴とする中継装置の制御方法。
【請求項６】  請求項２に記載の前記中継装置の制御方法であって、
前記中継装置が、さらに、
第二のディスクアレイ装置に接続され、
前記第一のディスクアレイ装置から前記第二のディスクアレイ装置にデータを送信するためのデータ送信要求を受信し、
前記関係と前記データ送信要求に含まれる前記第二の情報とに基づいて、前記第一の論理ボリュームから前記第二のディスクアレイ装置の第二の論理ボリュームへのデータ送信を行うか否かを決定し、
行う場合は、前記第一のディスクアレイ装置から前記第二のディスクアレイ装置への前記データの送信を前記第一のディスクアレイ装置に要求すること
を特徴とする中継装置の制御方法。
【請求項７】  請求項２に記載の前記中継装置の制御方法であって、
前記中継装置が、さらに、
第二のディスクアレイ装置に接続され、
前記第一のディスクアレイ装置から当該中継装置へのデータ送信を前記第一のディスクアレイ装置に要求し、
前記第一のディスクアレイ装置からデータを受信し、
当該中継装置から前記第二のディスクアレイ装置に前記データを送信すること
を特徴とする中継装置の制御方法。
【請求項８】  請求項２に記載の前記中継装置の制御方法であって、
前記第一の情報を要求する情報要求は、ＳＣＳＩ（Small Computer System Interface）規格におけるInquiryコマンドであること
を特徴とする中継装置の制御方法。
【請求項９】  請求項２に記載の前記中継装置の制御方法であって、
前記第一の情報を要求する情報要求は、前記第一の論理ボリュームに関する第一の情報を要求するものであり、
前記第一の情報には、前記第一の論理ボリュームの容量情報が含まれること
を特徴とする中継装置の制御方法。
【請求項１０】  請求項９に記載の前記中継装置の制御方法であって、
前記中継装置が、さらに、
前記第一の情報に含まれる容量情報に基づいて、当該中継装置が前記第一のディスクアレイ装置に前記データ入出力要求を送信するかどうかを決定すること
を特徴とする中継装置の制御方法。
【請求項１１】  請求項２に記載の前記中継装置の制御方法であって、
前記中継装置が、
前記第一のディスクアレイ装置に関する識別子を要求するための第三の情報に対する要求を第一のディスクアレイ装置に送信し、
前記第一のディスクアレイ装置から前記識別子を受信し、
前記受信した識別子に基づいて、前記第一のディスクアレイ装置が前記仮想ボリュームに関連づけるのに相応しいか否かを決定し、
前記第一のディスクアレイ装置は前記仮想ボリュームに関連づけるのに相応しいと決定した場合、前記第一の情報を要求する情報要求を前記第一のディスクアレイ装置に送信すること
を特徴とする中継装置の制御方法。
【請求項１２】  仮想ボリュームを有し、ホストコンピュータと、制御装置、複数のディスクドライブ、及び前記制御装置によって前記ディスクドライブと対応づけられる論理ボリュームを有するディスクアレイ装置とに接続される、中継装置の制御方法であって、
前記論理ボリュームに関する第一の情報を要求すべく、前記ディスクアレイ装置に第一の情報を要求する情報要求を送信し、
前記ディスクアレイ装置から前記第一の情報を受信し、
前記第一の情報と前記仮想ボリュームに関する第二の情報との関係情報を登録し、
前記ホストコンピュータから前記仮想ボリュームに送信されるデータ入出力要求を受信し、
前記関係情報に基づいて、前記第一の論理ボリュームに前記データ入出力要求のデータを入出力することを決定し、
前記関係情報に基づいて、前記データ入出力要求に含まれる前記仮想ボリュームの番号を、前記第一の情報に含まれるとともに前記第二の情報に含まれる仮想ボリュームの番号に対応する前記論理ボリュームの番号に変換し、
前記ディスクアレイ装置が前記論理ボリュームに対応する前記ディスクドライブにデータ入出力要求のデータを入出力するための、前記変換されたデータ入出力要求を前記ディスクアレイ装置に送信し、
前記仮想ボリュームに関する第二の情報に含まれる情報を要求する情報要求を、前記ホストコンピュータから受信し、
前記関係情報に基づいて、前記要求された情報に対応する、前記第一の情報に含まれる情報を、前記ホストコンピュータに応答することを決定し、
前記第一の情報に含まれる前記情報を前記ホストコンピュータに応答すること
を特徴とする中継装置の制御方法。
【請求項１３】  請求項２に記載の前記中継装置の制御方法であって、
前記中継装置には、前記仮想ボリュームに関する属性情報が設定されており、
前記中継装置は、前記データ入出力要求の受信後、前記属性情報に基づいて、受信した前記データ入出力要求の処理を許可するか否かを制御すること
を特徴とする中継装置の制御方法。
【請求項１４】  請求項２に記載の前記中継装置の制御方法であって、
前記中継装置が、
前記論理ボリュームに関する属性情報を要求するための第三の情報に対する情報要求を前記ディスクアレイ装置に送信し、
前記ディスクアレイ装置から前記属性情報を受信し、
前記第二の情報と前記第一の情報とに対応づけて前記属性情報を登録し、
前記データ入出力要求の受信後、前記属性情報に基づいて、受信した前記データ入出力要求のデータの読み出し／書き込みを許可するか否かを制御すること
を特徴とする中継装置の制御方法。
【請求項１５】  ホストコンピュータ、第一のディスクアレイ装置、及び第二のディスクアレイ装置に接続され、複数のディスクドライブによって構成される論理ボリュームに対応する仮想ボリュームを有する、中継装置の制御方法であって、
前記仮想ボリュームの番号が設定されている場合に、前記論理ボリュームに関する第一の情報に対する情報要求を前記第一のディスクアレイ装置に送信し、
前記第一のディスクアレイ装置から前記第一の情報を受信し、
前記第一の情報と前記仮想ボリュームに関する第二の情報とを管理テーブルに登録し、
前記ホストコンピュータから前記仮想ボリュームに送信されたデータ入出力要求を受信し、
前記管理テーブルに基づいて、前記第一の論理ボリュームに前記データ入出力要求のデータを入出力することを決定し、
前記管理テーブルに基づいて、前記データ入出力要求に含まれている前記仮想ボリュームの前記番号を、前記第一の情報に含まれるとともに前記第二の情報に含まれている前記仮想ボリュームの前記番号に対応する前記論理ボリュームの番号に変換し、
前記論理ボリュームに対応する前記ディスクドライブに前記データ入出力要求のデータを前記第一のディスクアレイ装置が入出力するために、変換後の前記データ入出力要求を前記第一のディスクアレイ装置に送信すること
を特徴とする中継装置の制御方法。
【請求項１６】  仮想ボリュームを有し、ホストコンピュータと、制御装置及び複数のディスクドライブを有するとともに前記制御装置による制御に基づく前記ディスクドライブに関する論理ボリュームを提供するディスクアレイ装置と、に接続される、中継装置の制御方法であって、
前記論理ボリュームに関する第一の情報を要求すべく、前記ディスクアレイ装置に第一の情報を要求する情報要求を送信し、
前記ディスクアレイ装置から前記第一の情報を受信し、
前記第一の情報と前記仮想ボリュームに関する第二の情報とを管理テーブルに登録し、
前記ホストコンピュータから前記仮想ボリュームに送信されたデータ入出力要求を受信し、
前記管理テーブルに基づいて、前記論理ボリュームに前記データ入出力要求のデータを入出力することを決定し、
前記管理テーブルに基づいて、前記データ入出力要求に含まれる前記仮想ボリュームの番号を、前記第一の情報に含まれるとともに前記第二の情報に含まれている前記仮想ボリュームの前記番号に対応する前記論理ボリュームの番号に変換し、
前記論理ボリュームに対応する前記ディスクドライブに前記データ入出力要求のデータを入出力するために、変換後の前記データ入出力要求を前記第一のディスクアレイ装置に送信し、
前記ホストコンピュータから送信された前記仮想ボリュームに関する第二の情報に含まれる情報を要求する情報要求を受信し、
前記管理テーブルに基づいて、前記第二の情報に含まれる前記要求された情報を前記ホストコンピュータに応答することを決定し
前記第二の情報に含まれる情報を前記ホストコンピュータに応答すること
を特徴とする中継装置の制御方法。
【請求項１７】  仮想ボリュームを有し、ホストコンピュータと、制御装置、複数のディスクドライブ、及び前記制御装置によって関連付けられた論理ボリュームを有するディスクアレイ装置と、に接続される中継装置の制御方法であって、
前記仮想ボリュームを生成する場合に、前記論理ボリュームに関する第一の情報を要求する情報要求を前記ディスクアレイ装置に送信し、
前記ディスクアレイ装置から前記第一の情報を受信し、
前記第一の情報と前記仮想ボリュームに関する第二の情報との関係を登録し、
前記ホストコンピュータから前記仮想ボリュームに送信されるデータ入出力要求を受信し、
前記関係に基づいて、前記データ入出力要求に含まれる前記仮想ボリュームの番号を、前記第一の情報に含まれるとともに前記第二の情報に含まれる前記仮想ボリュームの番号に対応する前記第一の論理ボリュームの番号に変換し、
前記ディスクアレイ装置が前記論理ボリュームに対応する前記ディスクドライブにデータ入出力要求のデータを入出力するために、前記変換されたデータ入出力要求を前記ディスクアレイ装置に送信すること
を特徴とする中継装置の制御方法。
【請求項１８】  仮想ボリュームを有し、ホストコンピュータと、制御装置及び複数のディスクドライブを有するとともに前記制御装置によって前記ディスクドライブに関係づけられた第一の論理ボリュームを有する第一のディスクアレイ装置と、に接続される、中継装置の制御方法であって、
前記第一の論理ボリュームに関する第一の情報を要求する情報要求を前記第一のディスクアレイ装置に送信し、
前記第一のディスクアレイ装置から前記第一の情報を受信し、
前記第一の情報と前記仮想ボリュームに関する第二の情報との関係情報を登録し、
前記ホストコンピュータから前記仮想ボリュームに送信されるデータ入出力要求を受信し、
前記関係情報に基づいて、前記データ入出力要求に含まれる前記仮想ボリュームの番号を、前記第一の情報に含まれるとともに前記第二の情報に含まれる前記仮想ボリュームの前記番号に対応する前記論理ボリュームの番号に変換し、
前記第一のディスクアレイ装置が前記論理ボリュームに対応する前記ディスクドライブに前記データ入出力要求のデータを入出力するために、  前記変換されたデータ入出力要求を前記第一のディスクアレイ装置に送信し、
前記ホストコンピュータから送信された前記仮想ボリュームに関する第二の情報に含まれる情報を要求する情報要求を受信し、
前記関係情報に基づいて、前記要求された情報に対応する前記第一の情報に含まれる情報を前記ホストコンピュータに応答すること
を特徴とする中継装置の制御方法。
【請求項１９】  仮想ボリュームを有し、ホストコンピュータと、制御装置及び複数のディスクドライブを有するとともに前記制御装置によって前記ディスクドライブに関係づけられた第一の論理ボリュームを有する第一のディスクアレイ装置と、に接続される、中継装置の制御方法であって、
前記仮想ボリュームが生成される場合に、前記論理ボリュームに関する第一の情報を要求する情報要求を前記第一のディスクアレイ装置に送信し、
前記第一のディスクアレイ装置から前記第一の情報を受信し、
前記第一の情報と前記仮想ボリュームに関する第二の情報との関係を登録し、
前記ホストコンピュータから前記仮想ボリュームに送信されるデータ入出力要求を受信し、
前記関係に基づいて、前記第一の論理ボリュームにデータ入出力要求のデータを入出力することを決定し、
前記関係に基づいて、前記データ入出力要求に含まれる前記仮想ボリュームの番号を、前記第一の情報に含まれるとともに前記第二の情報に含まれる前記仮想ボリュームの前記番号に対応する前記第一の論理ボリュームの番号に変換し、
前記ディスクアレイ装置が前記第一の論理ボリュームに対応する前記ディスクドライブに前記データ入出力要求のデータを入出力するために、前記変換されたデータ入出力要求を前記ディスクアレイ装置に送信すること
を特徴とする中継装置の制御方法。
【手続補正２】
【補正対象書類名】明細書
【補正対象項目名】０００８
【補正方法】変更
【補正の内容】
【０００８】
【課題を解決するための手段】
この目的を達成するための、本発明の主たる発明は、ホストコンピュータと、複数のディスクドライブによって構成される論理ボリューム及び制御装置を有する第一の記憶制御装置と、に接続され、仮想ボリュームを有する中継装置の制御方法であって、前記論理ボリュームに関する第一の情報を登録し、前記ホストコンピュータから前記仮想ボリュームに対して送られたデータ入出力要求を受信し、前記データ入出力要求に含まれる第二の情報を、前記第一の情報に変換し、前記変換されたデータ入出力要求を、前記第一の記憶制御装置に対して送信することとする。
また、本発明の主たる発明の他の一つは、ホストコンピュータと、複数のディスクドライブによって構成される第一の論理ボリューム及び制御装置を有する第一の記憶制御装置と、に接続され、仮想ボリュームを有する中継装置の制御方法であって、前記仮想ボリュームが作成される場合に、前記第一の論理ボリュームに関する第一の情報を要求する情報要求を、前記第一の記憶制御装置に対して送信し、前記第一の記憶制御装置から前記第一の情報を受信し、前記第一の情報と前記仮想ボリュームに関する第二の情報との関係を登録し、前記ホストコンピュータから前記仮想ボリュームに対して送られたデータ入出力要求を受信し、前記登録された関係に基づき、前記データ入出力要求に含まれる前記第二の情報を、前記第一の情報に変換し、前記第一の記憶制御装置が前記第一の論理ボリュームに対応する前記複数のディスクドライブに対してデータを入出力するために、前記変換されたデータ入出力要求を、前記第一の記憶制御装置に対して送信し、前記中継装置が、さらに、第二の記憶制御装置に接続され、前記第一の記憶制御装置から前記第二の記憶制御装置へのデータの送信を要求するためのデータ送信要求を受信し、前記第一の記憶制御装置から前記第二の記憶制御装置への前記データの送信を前記第一の記憶制御装置に要求することとする。